(57)【要約】 【課題】飽和特性が高い入力部ＬＮＡを使用しなくても、アップフェージングに対応可能なスペースダイバーシチ受信ユニットを提供する。【解決手段】スペースダイバーシチ受信ユニットは、第１及び第２の受信系統、第１の位相操作部、第１のレベル操作部及び制御部を具備する。第１の受信系統は、第２の受信系統からの第１の供給信号と、入力信号とを合成し、合成した信号を増幅する。第２の受信系統は、供給される信号を増幅する。第１の位相操作部は、第２の受信系統で増幅された信号から抽出される抽出信号の位相を操作する。第１のレベル操作部は、位相操作された抽出信号のレベルを操作し、第１の供給信号として出力する。制御部は、第１の受信系統で検出したエンベロープを参照し、抽出信号が入力信号と逆位相となるように第１の位相操作部を制御し、第１の受信系統で検出したレベルが第１の基準値に近付くように第１のレベル操作部を制御する。【選択図】図１
2014023026.tif 000002
【特許請求の範囲】
【請求項１】
第１の受信系統と第２の受信系統とを備えるスペースダイバーシチ受信ユニットにおいて、
前記第１の受信系統に設けられ、第１の入力信号と、前記第２の受信系統から供給される第１の供給信号とを合成して第１の合成信号とする第１の方向性結合器と、
前記第１の受信系統に設けられ、前記第１の合成信号を増幅して第１の増幅信号とする第１の増幅器と、
前記第１の受信系統に設けられ、前記第１の増幅信号のレベルと、前記第１の増幅信号のエンベロープとを検出する第１の検波器と、
前記第２の受信系統に設けられ、供給される信号を増幅して第２の増幅信号とする第２の増幅器と、
前記第２の受信系統に設けられ、前記第２の増幅信号から第１の抽出信号を抽出する第２の方向性結合器と、
第１の位相制御に応じ、前記第１の抽出信号の位相を操作する第１の位相操作部と、
第１のレベル制御に応じ、前記位相操作された第１の抽出信号のレベルを操作し、前記第１の供給信号として前記第１の方向性結合器へ出力する第１のレベル操作部と、
前記第１の検波器で検出したエンベロープを参照し、前記第１の抽出信号の位相が前記第１の入力信号の位相と逆位相となるように、前記第１の位相操作部に対して第１の位相制御をし、前記第１の検波器で検出したレベルが予め設定された第１の基準値を超える場合、前記検出したレベルが前記第１の基準値に近付くように、前記第１のレベル操作部に対して第１のレベル制御をする制御部と
を具備するスペースダイバーシチ受信ユニット。
【請求項２】
前記第２の受信系統に設けられ、第２の入力信号と、前記第１の受信系統から供給される第２の供給信号とを合成して第２の合成信号とし、前記第２の合成信号を前記第２の増幅器へ出力する第３の方向性結合器と、
前記第２の受信系統に設けられ、前記第２の方向性結合器から供給される第２の増幅信号のレベルと、前記第２の増幅信号のエンベロープとを検出する第２の検波器と、
前記第１の受信系統に設けられ、前記第１の増幅信号から第２の抽出信号を抽出する第４の方向性結合器と、
第２の位相制御に応じ、前記第２の抽出信号の位相を操作する第２の位相操作部と、
第２のレベル制御に応じ、前記位相操作された第２の抽出信号のレベルを操作し、前記第２の供給信号として前記第３の方向性結合器へ出力する第２のレベル操作部と
をさらに具備し、
前記制御部は、
前記第２の検波器で検出したエンベロープを参照し、前記第２の抽出信号の位相が前記第２の入力信号の位相と逆位相となるように、前記第２の位相操作部に対して第２の位相制御をし、
前記第２の検波器で検出したレベルが予め設定された第２の基準値を超える場合、前記検出したレベルが前記第２の基準値に近付くように、前記第２のレベル操作部に対して第２のレベル制御をする請求項１記載のスペースダイバーシチ受信ユニット。
【請求項３】
第３の位相制御に応じ、前記第２の増幅信号の位相を操作する第３の位相操作部と、
前記第１の増幅信号と、前記位相が操作された第２の増幅信号とを合成して第３の合成信号とする合成部と、
前記第３の合成信号のエンベロープを検出する第３の検波器と、
前記第３の検波器で検出したエンベロープを参照し、前記第２の増幅信号の位相が前記第１の増幅信号の位相と同位相となるように、前記第３の位相操作部に対して第３の位相制御を行う第２の制御部と、
前記第３の合成信号の出力レベルを調整しながら、前記第３の合成信号を出力する出力部と
をさらに具備する請求項１又は２に記載のスペースダイバーシチ受信ユニット。
【発明の詳細な説明】
【技術分野】
【０００１】
本発明の実施形態は、マイクロ波周波数帯において伝搬される信号を受信するスペースダイバーシチ受信ユニットに関する。
【背景技術】
【０００２】
公共業務用無線等で使用されているマイクロ波周波数帯における信号の伝搬では、伝搬される複数の信号が互いに干渉し合い、受信レベルに時間的変動が生じることがある。近年、受信レベルの時間的変動に対応するため、スペースダイバーシチ受信ユニットが利用されている。
【０００３】
ところで、複数の信号が干渉し合うことにより受信レベルが変動する現象はフェージングと称される。一般的に、フェージングは、受信レベルが低下するダウンフェージングを指すと知られている。しかしながら、実環境におけるフェージングには、レベルの低下のみではなく、大気屈折率の変動又は電離層での反射特性の変化によりレベルが上昇するアップフェージングも含まれる。アップフェージングに対応するためには、受信ユニットにおける入力部ＬＮＡ（Low Noise Amplifier）に飽和特性が十分高いものを採用しておく必要がある。
【０００４】
しかしながら、飽和特性の高いＬＮＡを使用することは、受信ユニットを高額にするだけでなく受信ユニットの大型化及び受信ユニットにおける消費電力の増加の要因となり、また飽和レベルに近い受信状態においては信号品質の低下も生じる。
【先行技術文献】
【特許文献】
【０００５】
【特許文献１】特開平５−２４６９０号公報
【発明の概要】
【発明が解決しようとする課題】
【０００６】
以上のように、従来の受信ユニットでは、アップフェージングに対応するため、入力部ＬＮＡに飽和特性が十分高いものを採用するようにしているが、飽和特性の高いＬＮＡを使用することは、受信ユニットの高額化及び大型化、消費電力の増加の要因、並びに、信号品質の低下の要因となり得る。
【０００７】
そこで、目的は、飽和特性が高い入力部ＬＮＡを使用しなくても、アップフェージングに対応可能なスペースダイバーシチ受信ユニットを提供することにある。
【課題を解決するための手段】
【０００８】
実施形態によれば、スペースダイバーシチ受信ユニットは、第１の受信系統、第２の受信系統、第１の位相操作部、第１のレベル操作部及び制御部を具備する。第１の受信系統は、第１の方向性結合器、第１の増幅器及び第１の検波器を備える。第２の受信系統は、第２の増幅器及び第２の方向性結合器を備える。第１の方向性結合器は、第１の入力信号と、前記第２の受信系統から供給される第１の供給信号とを合成して第１の合成信号とする。第１の増幅器は、前記第１の合成信号を増幅して第１の増幅信号とする。第１の検波器は、前記第１の受信系統に設けられ、前記第１の増幅信号のレベルと、前記第１の増幅信号のエンベロープとを検出する。第２の増幅器は、供給される信号を増幅して第２の増幅信号とする。第２の方向性結合器は、前記第２の増幅信号から第１の抽出信号を抽出する。第１の位相操作部は、第１の位相制御に応じ、前記第１の抽出信号の位相を操作する。第１のレベル操作部は、第１のレベル制御に応じ、前記位相操作された第１の抽出信号のレベルを操作し、前記第１の供給信号として前記第１の方向性結合器へ出力する。制御部は、前記第１の検波器で検出したエンベロープを参照し、前記第１の抽出信号の位相が前記第１の入力信号の位相と逆位相となるように、前記第１の位相操作部に対して第１の位相制御をする。制御部は、前記第１の検波器で検出したレベルが予め設定された第１の基準値を超える場合、前記検出したレベルが前記第１の基準値に近付くように、前記第１のレベル操作部に対して第１のレベル制御をする。
【図面の簡単な説明】
【０００９】
【図１】本実施形態に係るスペースダイバーシチ受信ユニットの機能構成を示すブロック図である。
【図２】図１に示す第１の受信系統が受けるアップフェージングの影響を解消する際の第１の制御部の処理を示すフローチャートである。
【図３】図１に示す第２の受信系統が受けるアップフェージングの影響を解消する際の第１の制御部の処理を示すフローチャートである。
【発明を実施するための形態】
【００１０】
以下、実施の形態について、図面を参照して説明する。
【００１１】
図１は、本実施形態に係るスペースダイバーシチ受信ユニットの機能構成を示すブロック図である。図１に示すスペースダイバーシチ受信ユニットは、第１の受信系統１０、第２の受信系統２０、第１の位相操作部３０−１、第１のレベル操作部４０−１、第２の位相操作部３０−２、第２のレベル操作部４０−２、第１の制御部５０、第３の位相操作部６０、合成部７０、ＡＧＣ（Auto Gain Controller）８０、第３の検波器９０及び第２の制御部１００を具備する。
【００１２】
第１の受信系統１０は、例えば、主系統として用いられる。第１の受信系統１０は、第１の方向性結合器１１、第１のＬＮＡ（Low Noise Amplifier）１２、第２の方向性結合器１３、第１の周波数変換部１４及び第１の検波器１５を備える。
【００１３】
第１の方向性結合器１１は、例えば、アンテナで受信される受信信号と、第１のレベル操作部４０−１から供給される第１の供給信号とを受信する。第１の方向性結合器１１は、受信信号と、第１の供給信号とを合成し、第１の合成信号として第１のＬＮＡ１２へ出力する。
【００１４】
第１のＬＮＡ１２は、第１の方向性結合器１１から供給される第１の合成信号を増幅し、第１の増幅信号として第２の方向性結合器１３へ出力する。
【００１５】
第２の方向性結合器１３は、第１のＬＮＡ１２から供給される第１の増幅信号から、第１の抽出信号を抽出する。第２の方向性結合器１３は、第１の増幅信号を第１の周波数変換部１４へ出力し、第１の抽出信号を第２の位相操作部３０−２へ出力する。
【００１６】
第１の周波数変換部１４は、第２の方向性結合器１３から供給される第１の増幅信号の周波数をＩＦ（Intermediate Frequency）帯又はベースバンド帯に変換する。第１の周波数変換部１４は、周波数変換した第１の増幅信号を合成部７０へ出力する。
【００１７】
第１の検波器１５は、第１の周波数変換部１４から出力される第１の増幅信号を検波し、第１の増幅信号の受信レベル及びエンベロープを検出する。第１の検波器１５は、検出した受信レベル及びエンベロープを第１の制御部５０へ出力する。
【００１８】
第２の受信系統２０は、例えば、サブ系統として用いられる。第２の受信系統２０は、第３の方向性結合器２１、第２のＬＮＡ２２、第４の方向性結合器２３、第２の周波数変換部２４及び第２の検波器２５を備える。
【００１９】
第３の方向性結合器２１は、例えば、アンテナで受信される受信信号と、第２のレベル操作部４０−２から供給される第２の供給信号とを受信する。第３の方向性結合器２１は、受信信号と、第２の供給信号とを合成し、第２の合成信号として第２のＬＮＡ２２へ出力する。
【００２０】
第２のＬＮＡ２２は、第３の方向性結合器２１から供給される第２の合成信号を増幅し、第２の増幅信号として第４の方向性結合器２３へ出力する。
【００２１】
第４の方向性結合器２３は、第２のＬＮＡ２２から供給される第２の増幅信号から、第２の抽出信号を抽出する。第４の方向性結合器２３は、第２の増幅信号を第２の周波数変換部２４へ出力し、第２の抽出信号を第１の位相操作部３０−１へ出力する。
【００２２】
第２の周波数変換部２４は、第４の方向性結合器２３から供給される第２の増幅信号の周波数をＩＦ帯又はベースバンド帯に変換する。第２の周波数変換部２４は、周波数変換した第２の増幅信号を第３の位相操作部６０へ出力する。
【００２３】
第２の検波器２５は、第２の周波数変換部２４から出力される第２の増幅信号を検波し、第２の増幅信号の受信レベル及びエンベロープを検出する。第２の検波器２５は、検出した受信レベル及びエンベロープを第１の制御部５０へ出力する。
【００２４】
第１の位相操作部３０−１は、第１の制御部５０からの第１の位相制御に応じ、第４の方向性結合器２３から供給される第２の抽出信号の位相を操作する。
【００２５】
第２の位相操作部３０−２は、第１の制御部５０からの第２の位相制御に応じ、第２の方向性結合器１３から供給される第１の抽出信号の位相を操作する。
【００２６】
第１のレベル操作部４０−１は、第１の制御部５０からの第１のレベル制御に応じ、第１の位相操作部３０−１で位相操作された第２の抽出信号のレベルを操作する。第１のレベル操作部４０−１は、レベルを操作した第２の抽出信号を第１の供給信号として第１の方向性結合器１１へ出力する。
【００２７】
第２のレベル操作部４０−２は、第１の制御部５０からの第２のレベル制御に応じ、第２の位相操作部３０−２で位相操作された第１の抽出信号のレベルを操作する。第２のレベル操作部４０−２は、レベルを操作した第１の抽出信号を第２の供給信号として第３の方向性結合器２１へ出力する。
【００２８】
第１の制御部５０は、第１の検波器１５から供給されるエンベロープを参照し、第２の抽出信号の位相が、第１の方向性結合器１１から供給される受信信号と逆位相となるように、第１の位相操作部３０−１に対して第１の位相制御を行う。
【００２９】
また、第１の制御部５０は、第１の検波器１５から供給される受信レベルが第１の基準値を予め設定されたレベル以上超えるか否かを判断する。第１の制御部５０は、この判断により、受信レベルが上昇するフェージング、すなわちアップフェージングによる影響を受けているか否かを判断する。第１の基準値は、アップフェージングの影響を受けていない通常の状態での第１の増幅信号の受信レベルに基づいて設定される。第１の検波器１５から供給される受信レベルが第１の基準値を予め設定されたレベル以上超える場合、第１の制御部５０は、第１の受信系統１０がアップフェージングの影響を受けていると判断する。第１の受信系統１０がアップフェージングの影響を受けていると判断した場合、第１の制御部５０は、受信レベルが第１の基準値に近付くように第１のレベル操作部４０−１に対して第１のレベル制御を行う。
【００３０】
また、第１の制御部５０は、第２の検波器２５から供給されるエンベロープを参照し、第１の抽出信号の位相が、第３の方向性結合器２１へ供給される受信信号と逆位相となるように、第２の位相操作部３０−２に対して第２の位相制御を行う。
【００３１】
また、第１の制御部５０は、第２の検波器２５から供給される受信レベルが第２の基準値を予め設定されたレベル以上超えるか否かを判断する。第１の制御部５０は、この判断により、受信レベルが上昇するフェージング、すなわちアップフェージングの影響を受けているか否かを判断する。第２の基準値は、アップフェージングの影響を受けていない通常の状態での第２の増幅信号の受信レベルに基づいて設定される。第２の検波器２５から供給される受信レベルが第２の基準値を予め設定されたレベル以上超える場合、第１の制御部５０は、第２の受信系統２０がアップフェージングの影響を受けていると判断する。第２の受信系統２０がアップフェージングの影響を受けていると判断した場合、第１の制御部５０は、受信レベルが第２の基準値に近付くように第２のレベル操作部４０−２に対して第２のレベル制御を行う。
【００３２】
第３の位相操作部６０は、第２の制御部１００からの第３の位相制御に応じ、第２の周波数変換部２４から供給される第２の増幅信号の位相を操作する。第３の位相操作部６０は、位相を操作した第２の増幅信号を合成部７０へ出力する。
【００３３】
合成部７０は、第１の周波数変換部１４から供給される第１の増幅信号と、第３の位相操作部６０から供給される第２の増幅信号とを合成し、第３の合成信号としてＡＧＣ８０へ出力する。
【００３４】
ＡＧＣ８０は、合成部７０から供給される第３の合成信号のレベルを、予め設定されたレベルに調整する。ＡＧＣ８０は、レベルを調整した信号を後段へ出力する。
【００３５】
第３の検波器９０は、合成部７０から出力される第３の合成信号を検波し、第３の合成信号のエンベロープを検出する。第３の検波器９０は、検出したエンベロープを第２の制御部１００へ出力する。
【００３６】
第２の制御部１００は、第３の検波器９０から供給されるエンベロープを参照し、第２の周波数変換部２４から供給される第２の増幅信号の位相が、第１の周波数変換部１４から供給される第１の増幅信号と同位相となるように、第３の位相操作部６０に対して第３の位相制御を行う。
【００３７】
次に、以上のように構成されたスペースダイバーシチ受信ユニットがアップフェージングの影響を解消する際の第１の制御部５０の処理を説明する。図２は、本実施形態に係るスペースダイバーシチ受信ユニットが、第１の受信系統１０が受けるアップフェージングの影響を解消する際の第１の制御部５０の処理を示すフローチャートである。
【００３８】
まず、第１の制御部５０は、第１の検波器１５から供給される受信レベルが第１の基準値を予め設定されたレベル以上超えるか否かを判断する（ステップＳ２１）。受信レベルが第１の基準値を予め設定されたレベル以上超える場合（ステップＳ２１のＹｅｓ）、第１の制御部５０は、アップフェージングの影響を受けていると判断する（ステップＳ２２）。受信レベルが第１の基準値を予め設定されたレベル以上超えない場合（ステップＳ２１のＮｏ）、第１の制御部５０は、ステップＳ２１の処理を繰り返す。
【００３９】
続いて、第１の制御部５０は、第１の検波器１５から供給されるエンベロープを参照し、第２の抽出信号の位相が、第１の方向性結合器１１から供給される受信信号と逆位相となるように、第１の位相操作部３０−１に対して第１の位相制御を行う（ステップＳ２３）。第１の制御部５０は、第１の検波器１５から供給されるエンベロープを参照し、第２の抽出信号の位相が受信信号の位相と逆位相になったか否かを判断する（ステップＳ２４）。第２の抽出信号の位相が受信信号の位相と逆位相になった場合（ステップＳ２４のＹｅｓ）、第１の制御部５０は、処理をステップＳ２５へ移行する。第２の抽出信号の位相が受信信号の位相と逆位相になっていない場合（ステップＳ２４のＮｏ）、第１の制御部５０は、第２の抽出信号の位相と受信信号の位相とが逆位相になるまでステップＳ２３の処理を繰り返す。
【００４０】
第１の制御部５０は、ステップＳ２５において、第１の検波器１５により検出される受信レベルが第１の基準値に近付くように第１のレベル操作部４０−１に対して第１のレベル制御を行う（ステップＳ２５）。第１の制御部５０は、第１の検波器１５により検出される受信レベルを参照し、第１のレベル制御によりアップフェージングの影響が軽減したか否かを判断する（ステップＳ２６）。
【００４１】
第１のレベル制御によりアップフェージングの影響が軽減した場合（ステップＳ２６のＹｅｓ）、第１の制御部５０は、第１の検波器１５により検出される受信レベルが第１の基準値と一致するか否かを判断する（ステップＳ２７）。受信レベルが第１の基準値と一致する場合（ステップＳ２７のＹｅｓ）、第１の制御部５０は、処理を終了させる。受信レベルが第１の基準値と一致しない場合（ステップＳ２７のＮｏ）、第１の制御部５０は、受信レベルが第１の基準値と一致するまでステップＳ２３〜Ｓ２６の処理を繰り返す。
【００４２】
ステップＳ２６において、第１のレベル制御によりアップフェージングの影響が軽減していない場合（ステップＳ２６のＮｏ）、第１の制御部５０は、アップフェージングの影響が軽減されるように、ステップＳ２５において第１のレベル操作部４０−１のゲインを変化させる（ステップＳ２５）。
【００４３】
これにより、アップフェージングが発生している場合であっても、第１の受信系統１０が受けるアップフェージングの影響を軽減することが可能である。
【００４４】
図３は、本実施形態に係るスペースダイバーシチ受信ユニットが、第２の受信系統１０が受けるアップフェージングの影響を解消する際の第１の制御部５０の処理を示すフローチャートである。
【００４５】
まず、第１の制御部５０は、第２の検波器２５から供給される受信レベルが第２の基準値を予め設定されたレベル以上超えるか否かを判断する（ステップＳ３１）。受信レベルが第２の基準値を予め設定されたレベル以上超える場合（ステップＳ３１のＹｅｓ）、第１の制御部５０は、アップフェージングの影響を受けていると判断する（ステップＳ３２）。受信レベルが第２の基準値を予め設定されたレベル以上超えない場合（ステップＳ３１のＮｏ）、第１の制御部５０は、ステップＳ３１の処理を繰り返す。
【００４６】
続いて、第１の制御部５０は、第２の検波器２５から供給されるエンベロープを参照し、第１の抽出信号の位相が、第３の方向性結合器２１から供給される受信信号と逆位相となるように、第２の位相操作部３０−２に対して第２の位相制御を行う（ステップＳ３３）。第１の制御部５０は、第１の抽出信号の位相が受信信号の位相と逆位相になったか否かを判断する（ステップＳ３４）。第１の抽出信号の位相が受信信号の位相と逆位相になった場合（ステップＳ３４のＹｅｓ）、第１の制御部５０は、処理をステップＳ３５へ移行する。第１の抽出信号の位相が受信信号の位相と逆位相になっていない場合（ステップＳ３４のＮｏ）、第１の制御部５０は、第１の抽出信号の位相と受信信号の位相とが逆位相になるまでステップＳ３３の処理を繰り返す。
【００４７】
第１の制御部５０は、ステップＳ３５において、第２の検波器２５により検出される受信レベルが第２の基準値に近付くように第２のレベル操作部４０−２に対して第２のレベル制御を行う（ステップＳ３５）。第１の制御部５０は、第２の検波器２５により検出される受信レベルを参照し、第２のレベル制御によりアップフェージングの影響が軽減したか否かを判断する（ステップＳ３６）。
【００４８】
第２のレベル制御によりアップフェージングの影響が軽減した場合（ステップＳ３６のＹｅｓ）、第１の制御部５０は、第２の検波器２５により検出される受信レベルが第２の基準値と一致するか否かを判断する（ステップＳ３７）。受信レベルが第２の基準値と一致する場合（ステップＳ３７のＹｅｓ）、第１の制御部５０は、処理を終了させる。受信レベルが第２の基準値と一致しない場合（ステップＳ３７のＮｏ）、第１の制御部５０は、受信レベルが第２の基準値と一致するまでステップＳ３３〜Ｓ３６の処理を繰り返す。
【００４９】
ステップＳ３６において、第２のレベル制御によりアップフェージングの影響が軽減していない場合（ステップＳ３６のＮｏ）、第１の制御部５０は、アップフェージングの影響が軽減されるように、ステップＳ３５において第２のレベル操作部４０−２のゲインを変化させる（ステップＳ３５）。
【００５０】
これにより、アップフェージングが発生している場合であっても、第２の受信系統２０が受けるアップフェージングの影響を軽減することが可能である。
【００５１】
以上のように、本実施形態では、伝搬ルートの違いによりフェージングの大小／時間変動が異なることを利用し、第１の受信系統１０で生じる急激なレベル上昇を、第２の受信系統２０における受信信号を用いて抑圧するようにしている。これにより、第１のＬＮＡ１２に供給される信号のレベルが急激に上昇することを抑えることが可能となり、飽和特性が高い入力部ＬＮＡを設ける必要がなくなる。
【００５２】
また、本実施形態では、上記の伝搬ルートの性質を利用し、第２の受信系統２０で生じる急激なレベル上昇を、第１の受信系統１０における受信信号を用いて抑圧するようにしている。これにより、第２のＬＮＡ２２に供給される信号のレベルが急激に上昇することを抑えることが可能となり、飽和特性が高い入力部ＬＮＡを設ける必要がなくなる。
【００５３】
したがって、本実施形態に係るスペースダイバーシチ受信ユニットによれば、飽和特性が高い入力部ＬＮＡを使用しなくても、アップフェージングに対応することができる。
【００５４】
以上のことから、本実施形態に係るスペースダイバーシチ受信ユニットは、飽和特性の高いＬＮＡを必要としないため、低額化及び小型化、消費電力の抑制、並びに、信号品質の低下防止を実現することが可能となる。
【００５５】
また、本実施形態では、第３の位相操作部６０は、第１の受信系統１０からの信号と、第２の受信系統２０からの信号とを同位相にする。そして、合成部７０は、第１の受信系統１０からの信号と、第２の受信系統２０からの信号とを合成するようにしている。これにより、スペースダイバーシチ受信ユニットは、ダウンフェージングによる受信レベルの急激な低下を軽減することが可能となる。
【００５６】
なお、本実施形態に係るスペースダイバーシチ受信ユニットでは、一方の受信系統の増幅信号を、他方の受信系統の受信信号に合成するため、基本的に増幅信号は受信信号に比べて遅延していることになる。しかしながら、伝送信号速度は変調方式と信号伝送帯域に依存し、信号伝送帯域は通常は数ＭＨｚから数１０ＭＨｚである。このため、遅延差は伝送信号速度に対して小さく、遅延差による影響はほとんど生じない。
【００５７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５８】
１０…第１の受信系統、１１…第１の方向性結合器、１２…第１のＬＮＡ、１３…第２の方向性結合器、１４…第１の周波数変換部、１５…第１の検波器、２０…第２の受信系統、２１…第３の方向性結合器、２２…第２のＬＮＡ、２３…第４の方向性結合器、２４…第２の周波数変換部、２５…第２の検波器、３０−１…第１の位相操作部、３０−２…第２の位相操作部、４０−１…第１のレベル操作部、４０−２…第２のレベル操作部、５０…第１の制御部、６０…第３の位相操作部、７０…合成部、８０…ＡＧＣ、９０…第３の検波器、１００…第２の制御部
【図１】
2014023026.tif 000003
【図２】
2014023026.tif 000004
【図３】
2014023026.tif 000005